(57)【特許請求の範囲】
【請求項１】
非通液性のシートで形成した蓋片付きの皿状容器に生物試料、生検試料、又は、細胞をゾル状の保存液で埋設して収容し、その後該蓋片を閉じた該皿状容器を挟持具で挟持して保管することを特徴とする生物試料、生検試料、又は、細胞の保管方法。
【請求項２】
前記生物試料、生検試料、又は、細胞が紙シートに付着されていることを特徴とする請求項１記載の生物試料、生検試料、又は、細胞の保管方法。
【請求項３】
前記生物試料、生検試料、又は、細胞が紙シートに複数個付着され、該各生物試料、生検試料、又は、細胞付近の紙シート面に各生物試料、生検試料、又は、細胞に対応するデータが表示されていることを特徴とする請求項１記載の生物試料、生検試料、又は、細胞の保管方法。
【請求項４】
生物試料、生検試料、又は、細胞をゾル状の保存液で埋設して収容するための非通液性のシートで形成した蓋片付きの皿状容器と、その後該蓋片を閉じた該皿状容器を挟持して密閉することにより前記生物試料、生検試料、又は、細胞を保管するための挟持具とからなることを特徴とする生物試料、生検試料、又は、細胞の保管容器。
【請求項５】
皿状容器が、硬質で非通液性の長方形シートをその中程から屈伸自在に折り畳み、その一方のシートの中央部に皿部を形成し、他方のシートを蓋片とし、該皿部の開口縁の外側に位置する前記一方のシートの鍔部と前記蓋片とを互いに面接触させてなることを特徴とする請求項４記載の生物試料、生検試料、又は、細胞の保管容器。
【請求項６】
皿状容器が、硬質で非通液性の長方形シートをその中程から屈伸自在に折り畳み、その一方のシートの中央部に皿部を形成し、該皿部の開口縁の外側に位置する前記一方のシートの鍔部に凹溝を設け、他方のシートを蓋片とし、該蓋片に前記凹溝に嵌合するための凸部を設け、前記凹溝と前記凸部を嵌合させることにより前記鍔部と前記蓋片を面接触させてなることを特徴とする請求項４記載の生物試料、生検試料、又は、細胞の保管容器。
【請求項７】
挟持具が、非通液性のシートをその中程から屈伸自在に折り畳み、その一方のシートに前記皿状容器を掛止するための支持孔を設け、他方のシートを挟持片とし、前記皿状容器を前記一方のシートに掛止した後、前記挟持片を折り畳み、該挟持片の係止部を前記一方のシートの被係止部に係止させて前記皿状容器を挟持してなることを特徴とする請求項４記載の生物試料、生検試料、又は、細胞の保管容器。
【請求項８】
挟持具が、前記皿状容器を掛止して支持するための窓孔を有する挟持用支持板と、挟持用押え板とからなり、前記皿状容器を掛止した前記挟持用支持板の被係止部に該挟持用押え板の係止部を係止することにより前記皿状容器を挟持すること特徴とする請求項４記載の生物試料、生検試料、又は、細胞の保管容器。
【請求項９】
挟持具が、前記皿状容器を収容するための函状容器と蓋板とからなり、前記皿状容器を収容した前記函状容器に前記蓋板を覆せ、前記蓋板の支持枠及び前記函状容器の底部により前記皿状容器の鍔部を挟むとともに、前記函状容器の被係止部に前記蓋板の係止部を係止することにより前記皿状容器を挟持すること特徴とする請求項４記載の生物試料、生検試料、又は、細胞の保管容器。
【発明の詳細な説明】
【０００１】
【発明の属する技術分野】
この発明は、臨床医が病気の診断及び治療法を決めるために患者から採取した生物試料や生検試料または細胞等（以下生物試料等という。）を病理検査室に移送する際、生物試料等を保管するときの方法、及び該生物試料等を保管したままの状態で移送できる保管容器に関する。
【０００２】
【従来の技術】
従来、図２３に示すように、蓋つきの小さな瓶状の容器４１に生物試料等４６を粘性の少ない水状の固定液４７と共に保管している。
【０００３】
一般に、生物試料等を充分固定するための固定液の量はその試料の体積の最低１０〜２０倍（好ましくは５０〜１００倍）の容量を必要とすると言われている。例えば生物試料等の体積が１mm3であるとすると、固定液の量は、最低１０mm3〜２０mm3（即ち０．０１cm3〜０．０２cm3）必要であることになる。
【０００４】
実際には、図２４に示すような容器４１に約１cm3の固定液４７を入れて生物試料等４６を保管しているが、容器４１はかなり大きいので、容器に隙間ができてしまう。また、固定液に粘性が少ないため、振動等により生物試料等４６が固定液４７から出てしまい、容器４１の壁に付着して乾燥することがある。
【０００５】
また、図２５に示す如く、例えばこの生物試料等４６を裏打ちの紙４０に付着させ、そのデータ４２を該紙４０に記載しておいても、外部の振動が直接的に生物試料等４６に伝わり、図２６に示す如くその紙４０から生物試料等４６が剥げ落ちてしまうこともしばしば起きている。
【０００６】
このような不具合を防止するためには、約１cm3の固定液が満杯に入るような容積の、小型で生物試料等の各種データの記載ができる水漏れしない蓋付きの小型容器を作製することが考えられるが、コストの関係から、膨大な数の容器を作製するのは事実上困難である。
【０００７】
本願の発明者は、このような問題を解決するために、例えばホルマリン水などのグルコマンナンと混じり合う固定液にグルコマンナンを溶かした定着支持剤（特願平７−１６９０３号参照）には次のような性質があることに着目した。
【０００８】
この定着支持剤は、従来の水状のほとんど粘性の無い固定液に比較しても同等の生物学的固定力を有し、且つまた粘性の有るゾル状の液であるので、この固定液内での生物試料等の振動等による動きは緩慢であり、この固定液内の生物試料等に対する外部からの振動は直接的に伝わりにくい。
【０００９】
そしてこの粘性を有するゾル状の固定液は、ゲル化して凝固しなければほとんど透明であり、透明な容器にこの粘性の有るゾル状固定液を入れて、生物試料等の生物学的固定をすると、その生物試料等の状態を外から観察することが容易である。
【００１０】
この性質を利用して、従来の固定液４７の代わりにこのゾル状の固定液を用いて前記瓶状の容器４１に生物試料等４６を保管することが考えられるが、粘性が比較的高いとはいえ、容器４１の構造上、前述したような問題の起こる可能性は依然として残っており、従来の問題点を解決するまでには至らない。
【００１１】
そこで、本願の発明者は、図２７に示す如く、硬質の通液性シートで形成する定着支持用ケース５１の窓孔５２に掛止される多孔皿５３の底部内面に所定の数量の生物試料等５６を所望の状態で収容し、該生物試料等５６の上方及び周囲にグルコマンナンとホルマリン等からなる定着支持剤５７を充填し、この生物試料等５６を該多孔皿５３に収容したままの状態で生物試料等５６の変質防止剤を混入したゲル化剤５５の入っている別のカプセル５８に入れて密封して保管する方法を発明した（特願平７−３００２９０号）。
【００１２】
上記技術によると、このようにして保管した生物試料等５６を該カプセル５８ごと病理検査室に移送する間に、生物試料等５６を埋設したその周囲の定着支持剤５７に向ってカプセル５８内のゲル化剤５５が多孔皿５３に形成されている通液孔５４を通って流入し、定着支持剤５７をゲル化して、生物試料等５６が多孔皿５３内で動かないように固定することができる。
【００１３】
【発明が解決しようとする課題】
しかし、このためには多孔皿５３を掛止めした多孔質シートで形成する定着支持用ケース５１と、ゲル化剤５５の入っているカプセル５８が必要になり、また、定着支持用ケース５１をカプセル５８に収容して密閉する手間が必要になるため、その分だけコスト高になる。このことは、生物試料等５６の保管作業の性質上その数が膨大になるので、大きな問題になる。
【００１４】
この発明の目的は、図２３乃至図２６に示す場合のような問題点、即ち、生物試料等４６が乾燥したり、紙４０から剥げ落ちたりといった問題点、また、小型容器を作製する上でのコスト等の困難性を解決することである。
【００１５】
また、図２７に示す如く、生物試料等５６をカプセル５８に入れてその生物試料等を埋設している定着支持剤５７をゲル化する場合と比較して、手間をかけないで済むようにすることである。
【００１６】
【課題を解決するための手段】
この発明は、非通液性のシートで形成した蓋片付きの皿状容器に生物試料等をゾル状の保存液で埋設して収容し、その後該蓋片を閉じた該皿状容器を挟持具で挟持して保管することにより、前記の問題点を解決するものである。
【００１７】
前記生物試料等は、紙シートに付着されているものである。或は紙シートに複数個付着され、各生物試料等の付近の紙シート面に各生物試料等に対応するデータが表示されているものである。
【００１８】
またこの発明は、生物試料等をゾル状の保存液で埋設して収容するための非通液性のシートで形成した蓋片付きの皿状容器と、その後該蓋片を閉じた該皿状容器を挟持して密閉することにより前記生物試料等を保管するための挟持具とからなる保管容器により、前記の問題点を解決するものである。
【００１９】
前記皿状容器は、硬質で非通液性の長方形シートをその中程から屈伸自在に折り畳み、その一方のシートの中央部に皿部を形成し、他方のシートを蓋片とし、該皿部の開口縁の外側に位置する前記一方のシートの鍔部と前記蓋片とを互いに面接触させてなるものである。
【００２０】
また前記皿状容器は、硬質で非通液性の長方形シートをその中程から屈伸自在に折り畳み、その一方のシートの中央部に皿部を形成し、該皿部の開口縁の外側に位置する前記一方のシートの鍔部に前記皿部の周囲に沿って凹溝を設け、他方のシートを蓋片とし、該蓋片に前記凹溝に嵌合する凸部を設け、前記凹溝と前記凸部を嵌合させることにより前記鍔部と前記蓋片を面接触させてなるものである。
【００２１】
また前記挟持具は、非通液性のシートをその中程から屈伸自在に折り畳み、その一方のシートに前記皿状容器を掛止するための支持孔を設け、他方のシートを挟持片とし、前記皿状容器を前記一方のシートに掛止した後、前記挟持片を折り畳み、該挟持片の係止部を前記一方のシートの被係止部に係止させて前記皿状容器を挟持してなるものである。
【００２２】
また前記挟持具は、前記皿状容器を掛止して支持するための窓孔を有する挟持用支持板と、挟持用押え板とからなり、前記皿状容器を掛止した前記挟持用支持板の被係止部に該挟持用押え板の係止部を係止することにより前記皿状容器を挟持するものである。
【００２３】
また前記挟持具は、前記皿状容器を収容するための函状容器と、蓋板とからなり、前記皿状容器を収容した前記函状容器に前記蓋板を覆せ、前記蓋被の突起及び前記函状容器の底部により前記皿状容器の鍔部を挟むとともに、前記函状容器の被係止部に前記蓋板の係止部を係止することにより前記皿状容器を挟持するものである。
【００２４】
【発明の実施の形態】
非通液性硬質合成樹脂製シートで形成された皿状容器内に、人体の患部から摘出した生物試料等を１個または複数個配置し、その上からゾル状グルコマンナンを注入して、該皿状容器内に生物試料等を埋め込む。
【００２５】
前記皿状容器の蓋片をヒンジから折り畳み、一方のシートの鍔部と該蓋片とを互いに面接触させて蓋片を閉じる。そして、蓋片を閉じた状態の皿状容器を、挟持具により挟持して密閉する。
【００２６】
このようにして生物試料等を夫々ゾル状グルコマンナンに埋め込んだ状態で保管し、これを病理検査室に移送する。
【００２７】
【実施例】
長方形の非通液性硬質合成樹脂製シート１を、図１及び図２に示す如くその中程のヒンジ２で屈伸自在に折曲げ、一方のシート１ａの中央部に皿部３ｂを設けて皿状容器３を形成し、該皿状容器３の開口部３ａ全周縁に位置する鍔部８と他方のシート１ｂで形成する蓋片４とを互いに面接触５できるようにしておく。
【００２８】
この皿部３ｂの内側に人体の患部から摘出した生物試料等６を１個又は複数個ピンセット等で摘んで配置し、その上からゾル状グルコマンナン７を注入して、その中に生物試料等６を埋め込む。
【００２９】
蓋片４をヒンジ２から矢印Ａ２方向に折り畳み、一方のシート１ａと他方のシート１ｂとを互いに面接触５させて蓋片４を閉じる。
【００３０】
上記蓋片４を閉じた皿状容器３の皿部３ｂを、図３に示す非通液性硬質合成樹脂製シートで形成した挟持具９の支持孔１２に嵌め込み、前記皿状容器の鍔部８を該挟持具９の鍔部１４上に載置する。そして、該挟持具９の蓋片１３をヒンジ１７から折り畳み、図４に示すように、前記鍔部１４に設けた被係止部１６に該蓋片１４の係止部１５を係止させて前記皿状容器３を挟持し、密閉する。
【００３１】
このようにして蓋片４付の非通液性の皿状容器３に患者から採取した生物試料等６をゾル状グルコマンナン７に埋め込んだ状態で密閉して保管し、これを病理検査室に移送する。
【００３２】
この発明は上述の図１乃至図４に示す実施例に限定されるものでなく、図５乃至図２２に示す、その他の実施例も含まれる。
【００３３】
図５は、生物試料等６が、図２に示した生物試料等６よりも大型または針生検による糸状棒状のものをゾル状グルコマンナン７で埋めた実施例を示す。
【００３４】
図６及び図７は、複数個の生物試料等６を図２に示すように皿状容器３に直接入れる代りに、予め用意された紙シート１０上の番号等の試料データ１１の近傍に載置し、そのままの状態で皿状容器３中に紙シート１０を皿状容器３の上面側にしてゾル状グルコマンナン７の中に埋め込む実施例を示すものである。
【００３５】
図８及び図９は、複数の紙シート１０ａ，１０ｂ，１０ｃに記載された各試料データ１１ａ，１１ｂ，１１ｃに適合させて、夫々１個の生物試料等６ａ，６ｂ、６ｃを付着し、これをそのままの配置状態で皿状容器３内のゾル状グルコマンナン７内に埋設して保管する方法を示す。この際各紙シート１０ａ，１０ｂ，１０ｃを皿状容器３の上面側にして、各生物試料等６ａ，６ｂ，６ｃをゾル状グルコマンナン７内に埋設するものである。
【００３６】
図１０は、各紙シート１０ａ，１０ｂ，１０ｃ，１０ｄ上に、各生物試料等６ａ，６ｂ，６ｃ，６ｄを載置し、その各紙シート１０ａ，１０ｂ，１０ｃ，１０ｄを皿状容器３の下側にしてその内部に配置し、その上方からゾル状グルコマンナン７を注入して、その中に埋設して保管する方法を示す。
【００３７】
図１１は、図１の実施例に於いて皿状容器３の形状を角形にする代りに円形にしたものであり、他の部分では図１と同様である。また、図示しないが円形の代わりに半球形及びその他の形状にすることも可能である。
【００３８】
なお、この皿状容器は、図１の実施例だけでなく、以下に示す全ての実施例について使用することができることはいうまでもない。
【００３９】
図１２は、生物試料等６を載置した皿状容器３を、挟持用支持板２２の窓孔２４に掛止し、その上から挟持用押え板２１を覆せてその係止部２５と挟持用支持板２２の被係止部２６とを互いに係止めて、前記皿状容器３を密閉するものである。
【００４０】
前記挟持用支持板２２には脚部２８が設けられているので、この保管容器を机上等に載置したり、重ねて保管するなどの際に、皿状容器３の底部が他のものに接触することがなく、内部の生物試料等６をより安全に保管及び移送することができる。
【００４１】
図１３は、図１２の別の実施例を示すもので、挟持用押え板２１の上部に軽減孔２７を穿設してある点、及び挟持用支持板２２の脚部２８の形状において図１２に示すものと異っており、他は図１２と同様である。
【００４２】
図１４は、図１２の更に別の実施例を示すもので、挟持用押え板２１の上部に通液孔２３を形成してある点、及び挟持用支持板２２の脚部２８の形状において図１２に示すものと異っており、他は図１２と同様である。
【００４３】
図１５は、図１２のまた更に別の実施例を示すもので、挟持用押え板２１の上部に軽減孔２７と通液孔２３を形成してある点、及び挟持用支持板２２の脚部２８の形状において図１２に示すものと異っており、他は図１２と同様である。
【００４４】
なお、挟持用押え板２１及び挟持用支持板２２の組み合わせは、前記図１２乃至図１５に示すものに限定されることなく、全ての挟持用押え板２１と挟持用支持板２２を適宜組み合わせることが可能である。
【００４５】
図１６はこの発明の更に別の実施例を示すもので、底面３７に複数の通液孔３３を設けた非通液性硬質合成樹脂製の函状容器３１の内部に、生物試料等６を埋設した皿状容器３の蓋片４側を該底面３７に接触させて載置し、その上から窓孔３４を有する蓋板３２を覆せ、該蓋板３２に設けた支持枠３８により該皿状容器３の鍔部８を押えて挟持し、該蓋板３２に設けた係止部３５を函状容器３１の被係止部３６に係止させて皿状容器３を挟持するものである。
【００４６】
図１７は、前記支持枠３８の形状が異なる点において図１６に示すものと異っており、他は図１６と同様である。
【００４７】
なお、図１４，図１５に示す挟持用押え板２１、及び図１６，図１７に示す函状容器３１は、生物試料等６を検査する際に包埋処理を行う場合、その支持基台として用いることもできる。これらの挟持具を用いた場合は、包埋時にわざわざ別の包埋用カセットを用意する必要がなく、生物試料等の採取・保管・移送・検査過程全てにおいて使用できるので、手間が省け、またより経済的である。
【００４８】
図１８は、生物試料等６をゾル状グルコマンナン７で埋設した皿状容器３を、本発明の発明者の先願に係る特願平７−３００２９１号の生物試料の包埋カセットにおいて、多孔皿を保持する要領で偏平容器１８及び蓋板１９により挟持して保管する方法を示す。
【００４９】
図１９は、上記出願に開示されている多孔皿２０に生物試料等６を収容してゾル状グルコマンナン７で埋設し、多孔皿２０ごと皿状容器３内に収容し、その後蓋片４をヒンジ２から折り畳んで皿状容器３を密閉した状態のものを前記偏平容器１８及び蓋板１９により挟持して保管する方法を示す。
【００５０】
図２０乃至図２１は皿状容器３の変形例を示すもので、図１に示す皿状容器３Ａにおいて、鍔部８の開口部３ａの周囲に凹溝Ｄを設け、蓋片４の該凹溝Ｄに対応する部分に凸部Ｐを設けており、前記蓋片４を前記鍔部８に面接触させる際に前記凹溝Ｄと凸部Ｐを嵌合させて密閉するようにしたものである。
【００５１】
このようにすると、挟持具で固定する必要がなく簡便であるが、この実施例の皿状容器３Ａを前述した各実施例における挟持具で固定すれば、より確実に密閉されることはいうまでもない。
【００５２】
図２２は、図２０及び図２１に示す皿状容器３Ａの中に生物試料等６を埋設したものを、図１７に示す函状容器３１及び蓋板３２により挟持して保管する例を示すものである。
【００５３】
【発明の効果】
この発明は上述のとおりであるので、従来の瓶状の小型容器に生物試料等を保管する場合のような問題点、即ち、生物試料等が乾燥したり、紙から剥げ落ちたりといった問題点をなくすことができる。また、前記小型容器を作製する際の手間とコストを大幅に低減することができる。
【００５４】
また、この発明によると、簡単な構造の蓋片付きの皿状容器の中のゾル状グルコマンナンに埋設した生物試料等をゲル化せずに病理検査室に移送することができ、またゲル化剤を予め入れておくためのカプセルに入れる工程を省略することができるので、それらにかかる手間とコストを大幅に低減することができる。
【００５５】
特に本発明の蓋片付き皿状容器は上述のような簡単な構造であっても、ゾルの性質上、皿状容器と蓋片の間からゾル状グルコマンナンが流出することがなく、充分その使用目的を得ることができる。
【図面の簡単な説明】
【図１】この発明の生物試料等の保管方法に使用する皿状容器の斜面図である。
【図２】図１の実施状態を示す縦断面図である。
【図３】この発明の生物試料等の保管方法に使用する挟持具の斜面図である。
【図４】この発明の生物試料等の保管方法の実施例を示す縦断面図である。
【図５】この発明の他の実施過程を示す縦断面図である。
【図６】この発明の更に他の実施過程を示す斜面図である。
【図７】図６の実施状態を示す図５に相当する縦断面図である。
【図８】この発明の更に他の実施過程を示す平面図である。
【図９】図８の実施状態を示す図５に相当する縦断面図である。
【図１０】この発明のまた更に他の実施過程を示す図５に相当する縦断面図である。
【図１１】図１の他の実施例を示す斜面図である。
【図１２】この発明の更に他の実施例を示す縦断面図である。
【図１３】図１２の実施例の応用例を示す縦断面図である。
【図１４】図１２の実施例の他の応用例を示す縦断面図である。
【図１５】図１２の実施例の更に他の応用例を示す縦断面図である。
【図１６】この発明のまた更に他の実施例を示す縦断面図である。
【図１７】図１６の実施例の応用例を示す縦断面図である。
【図１８】この発明のまた別の実施例を示す縦断面図である。
【図１９】図１８の実施例の応用例を示す斜面図である。
【図２０】図１の更に他の実施例を示す斜面図である。
【図２１】図２０の実施例の実施過程を示す縦断面図である。
【図２２】図２０の実施状態を示す斜面図である。
【図２３】従来例の斜面図である。
【図２４】図２３の他の状態の斜面図である。
【図２５】従来例の一部を示す平面図である。
【図２６】図２５の実施状態を示す斜面図である。
【図２７】他の従来例の斜面図である。
【符号の説明】
１      非通液性製硬質合成樹脂製シート
２      ヒンジ
３      皿状容器
４      蓋片
５      面接触
６      生物試料等
７      ゾル状グルコマンナン
８      鍔部
【図１】
0003777484.tif 000002
【図２】
0003777484.tif 000003
【図３】
0003777484.tif 000004
【図４】
0003777484.tif 000005
【図５】
0003777484.tif 000006
【図６】
0003777484.tif 000007
【図７】
0003777484.tif 000008
【図８】
0003777484.tif 000009
【図９】
0003777484.tif 000010
【図１０】
0003777484.tif 000011
【図１１】
0003777484.tif 000012
【図１２】
0003777484.tif 000013
【図１３】
0003777484.tif 000014
【図１４】
0003777484.tif 000015
【図１５】
0003777484.tif 000016
【図１６】
0003777484.tif 000017
【図１７】
0003777484.tif 000018
【図１８】
0003777484.tif 000019
【図１９】
0003777484.tif 000020
【図２０】
0003777484.tif 000021
【図２１】
0003777484.tif 000022
【図２２】
0003777484.tif 000023
【図２３】
0003777484.tif 000024
【図２４】
0003777484.tif 000025
【図２５】
0003777484.tif 000026
【図２６】
0003777484.tif 000027
【図２７】
0003777484.tif 000028